(57)【要約】  本発明は、骨組みの建築に関連して中心間（Ｃ／Ｃ）間隔をマーキングするためのメジャーテープに関し、該メジャーテープは、少なくともその一方の側に情報部が設けられ、メジャーテープの長手方向を横断して延びる複数の計測線（１、３、５）を設けられている。本発明はまた中心間（Ｃ／Ｃ）間隔をマーキングするための方法に関する。本発明によるメジャーテープの重要な点は、隣接する線（１、３、５）が、相互に少なくとも３０ｃｍの間隔で配置され、隣接する計測標印（１、３、５）間の間隔が同じであり、そして各線（１、３、５）の同じ側にマーキング用標識（Ｘ）が設けられることである。【選択図】  図１
2008519925.tif 000002
【特許請求の範囲】
【請求項１】
少なくとも一方の側に情報部を備え、複数の計測標印（measuring indicia；１，３，５）を備え、そして計測情報部（３０）の少なくとも一つの区画を各計測標印（１，３，５）に隣接して備えた、特に骨組み（framework）の建築に関連して中心間（Ｃ／Ｃ）間隔（centre to centre (C/C) distance）をマーキングするためのメジャーテープであって、隣接する計測標印（１，３，５）は互いに少なくとも３０ｃｍの間隔で配置され、そして隣接する計測標印（１，３，５）間の間隔は同じであることを特徴とするメジャーテープ。
【請求項２】
前記メジャーテープが使い捨ての物であることを特徴とする請求項１に記載のメジャーテープ。
【請求項３】
マーキング用標識（Ｘ）が各計測標印（１，３，５）の同じ側に設けられることを特徴とする請求項１または２に記載のメジャーテープ。
【請求項４】
計測標印がメジャーテープの長さ方向を横断する線（１，３，５）からなることを特徴とする請求項１〜３のいずれか一項に記載のメジャーテープ。
【請求項５】
幾つかの区画の計測情報部（３，６０；３０，１２０）が所定の計測標印（３，５）に隣接して設けられ、そして計測情報部（３，６０；３０，１２０）のこれらの区画が互いの倍数であることを特徴とする請求項１〜４のいずれか一項に記載のメジャーテープ。
【請求項６】
計測情報部の２つの区画が所定の計測標印（３，５）に隣接して設けられることを特徴とする請求項３に記載のメジャーテープ。
【請求項７】
マーキング用標識（Ｘ）が計測標印（１，３，５）の一方の側に配置され、そして計測情報部の区画が計測標印（１，３，５）の他方の側に配置されることを特徴とする請求項２または４に記載のメジャーテープ。
【請求項８】
隣接する計測標印（１，３，５）間の間隔が３０ｃｍであり、各計測標印（１，３，５）が計測情報部「３０」の区画を有し、各々の第２の計測標印（３）が計測情報部「６０」の区画を有し、各々の第４の計測標印（５）が計測情報部「１２０」の区画を有し、そして計測情報部「６０」および「１２０」の区画が同じ計測標印には配置されないことを特徴とする請求項１〜７のいずれか一項に記載のメジャーテープ。
【請求項９】
少なくとも一方の側に情報部を備え、そして隣接する計測標印（１，３，５）が互いに少なくとも３０ｃｍの間隔で配置され、隣接する計測標印（１，３，５）間の間隔が同じである複数の計測標印（１，３，５）を備えたメジーテープによって建築部品間における中心間（Ｃ／Ｃ）間隔をマーキングするための方法であって、中心間（Ｃ／Ｃ）間隔に関する情報部の区画が表示された計測標印（１，３，５）に隣接してメジャーテープを切断し、前記切断端部をマーキング開始位置に配置してメジャーテープをベースに取り付け、メジャーテープの別の切断端部を計測終了位置を越える位置まで設けられ、そして問題となっている中心間（Ｃ／Ｃ）間隔の情報部の区画が表示される計測標印（１，３，５）と同じ側に建築部品を配置することを特徴とする方法。
【発明の詳細な説明】
【技術分野】
【０００１】
本発明は、骨組み（framework）の建築に関連して中心間（Ｃ／Ｃ）間隔（centre to centre (C/C) distance）をマーキングするためのメジャーテープに関し、該メジャーテープは、少なくともその一方の側に情報部が設けられ、複数の計測標印（measuring indicia）を設けられ、そして計測情報部の少なくとも１つの区画は各計測標印に隣接して設けられている。本発明はまた、メジャーテープを用いて建築要素間における中心間（Ｃ／Ｃ）間隔をマーキングするための方法に関する。
【背景技術】
【０００２】
例えば、骨組みの建築の建設に関連して中心間（Ｃ／Ｃ）間隔を計測する場合、通常、折り尺や、所要の中心間（Ｃ／Ｃ）間隔に対応した所要の長さを有する竿尺が用いられる。折り尺によって中心間（Ｃ／Ｃ）間隔を計測してマーキングする場合、中心間（Ｃ／Ｃ）間隔を正確に同じ間隔にすることは難しい。竿尺を用いる場合、職人は、竿尺を保持すると同時に建築要素、例えば、間柱（stud）を釘で固定するという問題に直面する。
【０００３】
骨組みの建築のためのメジャーテープはカナダ特許第２２７４３８３号（CA 2 274 383）から既に知られている。このメジャーテープは、隣接する計測標印間に異なった間隔を有している。このことは、異なった中心間（Ｃ／Ｃ）間隔が混在するという明白な危険性を生じさせる。本発明によるメジャーテープは、隣接する計測標印間に一定の間隔を有する。これに加え、カナダ特許第２２７４３８３号によるメジャーテープは数回使用されるようになっている。このことは、使い捨て可能な本発明によるメジャーテープの作業におけるよりも本質的により長時間かかる作業が行われることを意味する。カナダ特許第２２７４３８３号によるメジャーテープは、本発明によるメジャーテープでは使用者が各マーキングで新しい開始点を作ることができるのに対し、永続的な開始点を有する。
【０００４】
例えば、アメリカ特許第４,１４９,３２０号（US-A-4,149,320）、国際公開第ＷＯ９９／６４８１３号およびイギリス特許第２３７２５７２号（GB 2 372 572）から、一方の側に計測用目盛を有し、他方の側に粘着剤を有するメジャーテープが公知である。これらのメジャーテープは、粘着剤を有する側をベースに押し付けることによって容易にベースに適用し得る。これに関連して、ベースは粘着剤と好適に共作用しなければならない、すなわち、ベースへのメジャーテープの取り付けが適切である必要がある。
【特許文献１】カナダ特許第２２７４３８３号公報
【特許文献２】アメリカ特許第４,１４９,３２０号公報
【特許文献３】国際公開第ＷＯ９９／６４８１３号公報
【特許文献４】イギリス特許第２３７２５７２号公報
【発明の開示】
【発明が解決しようとする課題】
【０００５】
本発明の主たる目的は、骨組みの建築に含まれる建築要素のための中心間（Ｃ／Ｃ）間隔を表示することにあり、このことはメジャーテープによって使用者に便利な方法をもたらし、建築要素は間柱や補強離間板張り（secondary spaced boarding）であるのが好ましい。
【０００６】
本発明の別の目的は、メジャーテープが適用／取付けがきわめて簡単であるべきであることである。
【０００７】
本発明のまた別の目的は、窓やドアに隣接した中心間（Ｃ／Ｃ）間隔の調整を簡略化することである。
【０００８】
本発明のさらに別の目的は、好適な実施形態により異なった中心間（Ｃ／Ｃ）間隔についても１つの同じメジャーテープを使用することにある。
【課題を解決するための手段】
【０００９】
本発明の少なくとも主たる目的は、添付の独立クレームの特徴を与えられたメジャーテープおよび方法によって実施される。本発明の好適な実施形態は従属クレームに確定されている。
【発明を実施するための最良の形態】
【００１０】
添付の図面を参照して、以下、本発明の好適な実施形態について説明する。
【００１１】
本発明によるメジャーテープの実施形態が図１に示されている。メジャーテープは、通常の使用中に、その長手方向へ伸びることのない材料から作成される。限定する意図なしに例示すると、本発明によるメジャーテープに適当な材料としてシリコン被覆紙を挙げることができる。いくつかのひな型を作成する場合、メジャーテープは、例えば、パレットの上に物を固縛するバンドとして用いられるものが使用される。
【００１２】
図１から明らかなように、メジャーテープはその一方の側に計測標印が設けられている。これらの計測標印は、メジャーテープの長手方向を横断して延びる複数の線１、３、５を構成する。各線１、３、５の一方の側、図１の下方側、に、「Ｘ」の形状のマーキングが設けられる。このマーキングの目的は、メジャーテープによって所定の相互の中心間（Ｃ／Ｃ）間隔で整列される建築要素を各線１、３、５のどちら側に置くべきかを使用者に教えることである。例えば、壁骨組みにおける垂直な間柱の問題があり、そのような場合、すべての間柱は線１、３、５の同じ側に配置される。
【００１３】
線１、３、５の他方の側、図１の上方側、には、複数の計測情報の区画が設けられ、これらの計測情報の区画は異なった中心間（Ｃ／Ｃ）間隔を表している。図示の実施形態において、中心間（Ｃ／Ｃ）間隔は３０ｃｍ、６０ｃｍおよび１２０ｃｍである。３０ｃｍの中心間（Ｃ／Ｃ）間隔は、屋根桁材（roof truss）の下方側に補強離間板張りと呼ばれるものを取り付ける場合に好適であり、６０ｃｍの中心間（Ｃ／Ｃ）間隔は、壁骨組みの桁材を建てる場合にしばしば用いられ、そして１２０ｃｍの中心間（Ｃ／Ｃ）間隔は、屋根桁材に関してしばしば用いられる。
【００１４】
図１から明らかなように、中心間（Ｃ／Ｃ）間隔“３０”はすべての線１、３、５に表されている。その理由は２つの隣接する線間の間隔が３０ｃｍであるためである。中心間（Ｃ／Ｃ）間隔“６０”は第２の線３毎に表される、すなわち、“６０”の印をつけられた線間の間隔は６０ｃｍである。中心間（Ｃ／Ｃ）間隔“１２０”は第４の線５毎に表されており、その結果、“１２０”の印をつけられた線間の間隔は１２０ｃｍである。図１から明らかなように、計測情報“６０”および“１２０”の区画は、混同するリスクを減少するために、同じ線には配置されない。
【００１５】
本発明によるメジャーテープを使用する場合、次のような作業が行われる。使用者は、問題となる中心間（Ｃ／Ｃ）間隔に対応する計測情報の区画でメジャーテープを切断する。例えば、６０ｃｍの中心間（Ｃ／Ｃ）間隔が問題である場合、使用者は、図１の上方から第２の線、すなわち、計測情報“３０”および“６０”の区画を用意する線３でメジャーテープを切断する。次いで、このメジャーテープは、マーキングすべき間隔／長さの開始点にその切断端部を取り付けられる。マーキングすべき間隔／長さ全体にメジャーテープが取り付けられると、メジャーテープは、マーキングすべき間隔／長さの終点を超える部分を切断される。次いで、使用者は各第２の線３、すなわち、計測情報“６０”の区画を用意する線を使用する。一方、中心間（Ｃ／Ｃ）間隔１２０ｃｍが問題である場合、使用者は、図１の頂部の線５でメジャーテープを切断する。次いで、各第４の線５、すなわち、計測情報“１２０”の区画を用意する線が使用される。線１、３、５で切断することは、印“Ｘ”が切断したメジャーテープに残るような手段で達成される。
【００１６】
図２には、本発明によるメジャーテープがどのようにして屋根桁材Ｔの下側に取り付けられるのかが示されている。絶縁および合成樹脂シートＰが屋根桁材Ｔ間に取り付けられており、合成樹脂シートは図２には模式的に示されている。通常、屋根桁材Ｔは１２０ｃｍの中心間（Ｃ／Ｃ）間隔で配置される。このことは、使用者は、線５でメジャーテープを切断し、印“Ｘ”はメジャーテープに残ることを意味する。
【００１７】
図３により詳細に示されるように、使用者は釘打銃Ｓを用いてメジャーテープを取り付け、本発明によるメジャーテープは、通常、永久的に固定される、すなわち、メジャーテープは使い捨てあり、かくして取り外されない。本発明のメジャーテープは、通常、屋根桁材Ｔの下方側全体に沿って取り付けられる。線５で切断されたメジャーテープの切断端部は、まず、屋根桁材Ｔの最下端部に取り付けられる。ついで、残りのメジャーテープは、屋根桁材Ｔの最上端部まで屋根桁材Ｔの下方側に釘止めされる。メジャーテープは同様な方法で屋根桁材Ｔの他方の半分に取り付けられる。
【００１８】
すべての屋根桁材Ｔの下方側にメジャーテープが取り付けられると、補強離間板張りと呼ばれるものが屋根桁材Ｔの下方側に取り付けられる。このことは図４に示されている。それと関連して、通常、職人は屋根桁材の最下方端、線５で開始し、補強離間板張りの最初の板材Ｂがメジャーテープの印“Ｘ”の頂部に取り付けられる。通常、板材Ｂの取付けは釘打により行われ、図４に示されるように、ポータブル釘打機Ｇが用いられる。次いで、補強離間板張りの次の板材が取り付けられる。すべての板材は印“Ｘ”が配置された線５の傍に取り付けられる。このことは補強離間板張りの板材間に正しい中心間（Ｃ／Ｃ）間隔を保証するものである。
【００１９】
すべての屋根桁材の下方側に本発明によるメジャーテープが用意されるので、補強離間板張りの板材Ｂの取付けは簡単かつ確実に行われる。
【００２０】
図５には、本発明によるメジャーテープを壁骨組みの建設に関連していかにして用いるのかが示されている。この場合、一般的に６０ｃｍの中心間（Ｃ／Ｃ）間隔の問題であり、従って、使用者は使用すべきメジャーテープを線３で切断する。次いで、メジャーテープの各第２の線３が使用される。図５から明らかなように、第１の本発明によるメジャーテープが壁骨組みの頂部の板Ｈで頂部に取り付けられ、第２の本発明によるメジャーテープが壁骨組みの地面側の板Ｉで底部に取り付けられる。これと関連して、使用者は両方の場合とも同じ錘線上に配置された点から開始する。図５に示される場合、これらの開始点は測鉛開始間柱Ｒにより表される。第１および第２のメジャーテープは、図５に示されるように、釘打銃Ｓによって取着される。第１および第２のメジャーテープが取り付けられると、相互の６０ｃｍの中心間（Ｃ／Ｃ）間隔で直立間柱を取り付けることは非常に簡単である。これと関連して、間柱の上方および下方端部は、印“Ｘ”が配置された線３の測部に配置され、次いで、間柱の上方端部が頂部の板Ｈに釘付けまたはネジ止めされる一方、間柱の下方端部は地面側の板Ｉに釘付けまたはネジ止めされる。第１および第２のメジャーテープが正しい方法で取り付けられそして印“Ｘ”が配置された線３の傍に間柱の端部が常に配置されていると、間柱は垂直位置を取る。
【発明の実施可能な変形例】
【００２１】
上述した本発明によるメジャーテープの実施形態において、使用者は、相互に複合された異なった中心間（Ｃ／Ｃ）間隔／計測情報の区画の幾つかを用いて作業する。上述した実施形態において、メジャーテープは３つの異なった中心間（Ｃ／Ｃ）間隔のために使用し得る。本発明の範囲内で、メジャーテープが単一の中心間（Ｃ／Ｃ）間隔、例えば、４５ｃｍ、のためだけに、或いは２つの中心間（Ｃ／Ｃ）間隔のためだけのものにすることは実行可能である。
【００２２】
上述した実施形態において、本発明によるメジャーテープは、一方の側にのみ情報部が用意されている。しかしながら、本発明の範囲内で、メジャーテープの両側に情報部を設けるもまた実行可能である。これに関連して、上述したような幾つかの異なった中心間（Ｃ／Ｃ）間隔を一方の側に設け、他方の側に４５ｃｍの中心間（Ｃ／Ｃ）間隔を表すこともできる。
【００２３】
上述した本発明によるメジャーテープの実施形態において、メジャーテープは、各計測標印／線１、３、５の一方の側部に“Ｘ”の形状の印を備えて作成されている。本発明の範囲内で、印“Ｘ”を削除しそして例えば計測情報の区画のない各計測標印／線１、３、５の傍に間柱を配置することも実行可能である。
【００２４】
上述した本発明によるメジャーテープの実施形態において、計測情報“６０”および“１２０”の区画は、同じ計測標印／線には配置されない。この分離を行う理由は、中心間（Ｃ／Ｃ）間隔を混同するリスクを減少することである。本発明の範囲内で、計測情報“３０”および“６０”の区画を同じ計測標印／線にに配置することは実行可能である。
【図面の簡単な説明】
【００２５】
【図１】本発明によるメジャーテープの好適な実施形態の一部を模式的に示す図である。
【図２】本発明によるメジャーテープがどのようにして屋根桁材の下側に取り付けられるのかを示す図である。
【図３】図２の詳細を示す図である。
【図４】補強離間板張りがどのようにして屋根桁材の下側に取り付けられるのかを示す図である。
【図５】壁の間柱の建築に関連して本発明によるメジャーテープがどのようにして頂部と底部に取り付けられるのかを示す図である。
【符号の説明】
【００２６】
１、３、５    計測標印／線
Ｂ    板材
Ｇ    ポータブル釘打機
Ｈ    頂部の板
Ｉ    地面側の板
Ｐ    絶縁および合成樹脂シート
Ｒ    測鉛開始間柱
Ｓ    釘打銃
Ｔ    屋根桁材
【図１】
2008519925.tif 000003
【図２】
2008519925.tif 000004
【図３】
2008519925.tif 000005
【図４】
2008519925.tif 000006
【図５】
2008519925.tif 000007
【国際調査報告】
2008519925.tif 000008
2008519925.tif 000009
2008519925.tif 000010
2008519925.tif 000011